(57)【要約】      （修正有）【課題】ハルンバッグの周囲および底部の排尿管も確実に隠蔽可能とする上、計量目盛り部分や排尿管を簡単に露出することができ、しかもハルンバッグからの悪臭の発生を確実に防止できるハルンバッグを提供する。【解決手段】確認窓３０を開口した表布部３および背布部を有し、底部２３に排出管用導出口２４を開口すると共に、上端に上部装着口２５を開口し、表布部３に確認窓３０用の隠蔽布５を結合吊下し、同隠蔽布５の先端がわに、導出口２４隠蔽用となる底背フラップ部５２を延伸してカバー本体２を形成した上、該表・背布部３，４上端縁Ａ，Ａに紐孔を穿設して吊着紐を装着すると共に、手提げハンドル７，７を装着し、適所に肩掛けベルト８を装着してなるハルンバッグカバー１とする。【選択図】図１
0003159704.tif 000002
【実用新案登録請求の範囲】
【請求項１】
隠蔽対象ハルンバッグを被覆可能であって、ハルンバッグ正面の容量目盛り露出用となる確認窓を適所に開口した表布部および背布部を有し、該表・背布部下端底部適所にハルンバッグ下部排出管用の導出口を開口すると共に、該導出口の左右がわに左右保持底を形成し、該表・背布部の左右端縦縁同士を結合して上端に上部装着口を開口し、該表布部表面の確認窓上方となる適所に隠蔽布の基端縁を、その垂下中途部で同確認窓を開閉自在に隠蔽可能とするよう結合吊下し、同垂下中途部から先端がわに、該隠蔽布閉鎖状態で表・背布部下端底部の導出口を隠蔽するよう回り込み、しかも背布部の背面適所に達し、且つ背布部背面適所との間に着脱部を有する底背フラップ部を延伸してカバー本体を形成した上、該カバー本体上部装着口に臨む表・背布部上端縁に、装着した場合のハルンバッグ上部の把持孔または吊り孔に対応するよう、布厚方向に貫通した紐孔を穿設し、各紐孔を通じて表・背布部間にハルンバッグ把持孔または吊り孔用の吊着紐を装着すると共に、該表・背布部の適所に手提げハンドルを装着し、同表・背布部の適所に、大人が利用可能な適切な長さの肩掛けベルトか、または、該肩掛けベルトを繋着可能な繋着金具かの何れかを装着してなるものとしたことを特徴とするハルンバッグカバー。
【請求項２】
隠蔽対象ハルンバッグを側面Ｕ字断面状をなして被覆可能な表布部および背布部を有する帯状布からなり、該帯状布表布部適所にハルンバッグ正面の容量目盛り露出用となる確認窓を開口し、該帯状布表・背布部下端底部適所にハルンバッグ下部排出管用の導出口を開口すると共に、該導出口の左右がわに左右保持底を形成し、該帯状布表・背布部の左右端縦縁同士を結合して、上端に上部装着口を開口し、該表布部表面の確認窓上方となる適所に隠蔽布の基端縁を、その垂下中途部で同確認窓を開閉自在に隠蔽可能とするよう結合吊下し、同垂下中途部から先端がわに、該隠蔽布閉鎖状態で表・背布部下端底部の導出口を隠蔽するよう回り込み、しかも背布部の背面適所に達し、且つ背布部背面適所との間に着脱部を有する底背フラップ部を延伸してカバー本体を形成した上、該カバー本体上部装着口に臨む表・背布部上端縁に、装着した場合のハルンバッグ上部の把持孔または吊り孔に対応するよう、布厚方向に貫通した紐孔を穿設し、各紐孔を通じて表・背布部間にハルンバッグ把持孔または吊り孔用の吊着紐を装着すると共に、該表・背布部の適所に手提げハンドルを装着し、同表・背布部の適所に、大人が利用可能な適切な長さの肩掛けベルトか、または、該肩掛けベルトを繋着可能な繋着金具かの何れかを装着してなるものとしたことを特徴とするハルンバッグカバー。
【請求項３】
隠蔽対象ハルンバッグを側面Ｕ字断面状をなして被覆可能な表布部および背布部を有する帯状布からなり、該帯状布表布部適所にハルンバッグ正面の容量目盛り露出用となる確認窓を開口し、該帯状布表・背布部下端底部適所にハルンバッグ下部排出管用の左右一直線スリット状導出口を開口すると共に、該導出口の左右がわに左右保持底を形成し、該帯状布表・背布部の左右端縦縁同士を結合して、上端に上部装着口を開口し、該表布部表面の確認窓上方となる適所に隠蔽布の基端縁を、その垂下中途部で同確認窓を開閉自在に隠蔽可能とするよう結合吊下し、同垂下中途部から先端がわに、該隠蔽布閉鎖状態で表・背布部下端底部の導出口を隠蔽するよう回り込み、しかも背布部の背面適所に達し、且つ背布部背面適所との間に着脱部を有する底背フラップ部を延伸してカバー本体を形成した上、該カバー本体上部装着口に臨む表・背布部上端縁に、装着した場合のハルンバッグ上部の把持孔または吊り孔に対応するよう、布厚方向に貫通した紐孔を穿設し、各紐孔を通じて表・背布部間にハルンバッグ把持孔または吊り孔用の吊着紐を装着すると共に、該表・背布部の上部装着口に臨む上端縁の各紐孔よりも僅かに左右がわとなる箇所間に夫々、逆Ｕ字型となる表裏一対の手提げハンドルを装着した上、同表布部の上部装着口に臨む上端縁横巾寸法の左端となる箇所から、該背布部の上部装着口に臨む上端縁横巾寸法の右端となる箇所に、逆Ｕ字型であって該手提げハンドルよりも長く、大人が利用可能な適切な長さの肩掛けベルトを掛け渡すよう結合するか、または、肩掛けベルトを繋着可能な繋着金具かの何れかを装着してなるものとしたことを特徴とするハルンバッグカバー。
【請求項４】
隠蔽布底背フラップ部が、垂下中途部先端がわの、閉鎖状態で表・背布部下端底部に対応する部分を底辺とした台形状のものとしてなる、請求項１ないし３何れか一項記載のハルンバッグカバー。
【請求項５】
表・背布部および隠蔽布が、撥水処理かまたは防水処理かの少なくとも何れか一方の耐水処理、および／または、防臭処理の施されてた医療用不織布（圧布）製のものとしてなる、請求項１ないし３何れか一項記載のハルンバッグカバー。
【請求項６】
表・背布部が、撥水処理かまたは防水処理かの少なくとも何れか一方の耐水処理が施された医療用不織布（圧布）製の内側布地と、防臭処理の施されてた医療用不織布（圧布）製の外側布地との組み合わせからなるものとしてなる、請求項１ないし３何れか一項記載のハルンバッグカバー。
【請求項７】
隠蔽布、手提げハンドルおよび肩掛けベルトの夫々が何れも、撥水処理か、または、防水処理かの少なくとも何れか一方の耐水処理が施された医療用不織布（圧布）製のものとしてなる、請求項１ないし６何れか一項記載のハルンバッグカバー。                                                          
【考案の詳細な説明】
【技術分野】
【０００１】
この考案は、入院中の患者などが尿、胃液、術後の廃液などの体液の貯留、および、体液量や色などを正確に観察可能とするハルンバッグに関連するものであり、特にハルンバッグを隠蔽可能および運搬容易にして、患者のプライバシーを守ることができるハルンバッグカバーを製造する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                                    
【背景技術】
【０００２】
（着目点）
ハルンバッグは、患者への正確で合理的な治療を優先させるのを目的として、排尿の色と量が一目で確認できるよう透明樹脂製バッグの表面に排尿量計測用の目盛り、その他の表示がなされたもので、治療に携わる医師や看護師などにとっては非常に実用的なものとなってはいるものの、その一方で、治療を受けるがわの患者自身にとっては、見舞客や他の入室者などに治療中の尿の色や量を見られてしまうことになって、とても恥ずかしい思いをしなければならなかったり、また、患者の症状や投薬などによっては、特殊な尿色となることもあって、治療と関係のない周囲の人々に不快感を与え兼ねなことがある外、歩行または車椅子で移動できる患者は、病院内を移動するときにハルンバッグを露出させたまま持ち運ぶこととなって通りがかりの見ず知らずの人達に見られてしまい、患者のプライバシーを全く守れないという由々しき問題を抱えていたり、ハルンバッグを持ち運ぶときには、その把持孔に手指を掛けて握持して持ち運ぶか、キャスター付きの点滴スタンドなどに吊して移動するしかなく、体力が低下している患者にとっては大きな負担となってしまう上、貯留尿液中で細菌が繁殖してしまったときなどには悪臭を発生させることもあって、周囲に不快感を与えてしまうという難点もあるなど、現況のハルンバックには、その管理、携行面に幾つかの不都合があった。
【０００３】
（従来の技術）
こうした状況を憂慮し、例えば、下記の特許文献１（１）に提案されているものに代表されるように、内部にハルンバッグを収納可能とした収納袋の前面に透明部分を設けると共に、該透明部分を隠す不透明なカバーを設け、収納袋下端にハルンバッグ排尿管取り出し用の開口部を形成し、ハルンバッグ周囲を包囲、隠蔽可能としたものや、同（２）に見られるような、ハルンバッグに可撓製帯体を側面視略凹字状に被装可能とし、ハルンバッグの把持孔を掛けるフック部およびバンド部などを設け、点滴スタンドなどへ吊下可能としたもの、または、例えば同（３）のように、ハルンバッグそれ自体を閉鎖式とし、当該ハルンバッグの材質に消臭性樹脂を採用して悪臭の発生を防止可能としたものなどが散見される。
【０００４】
しかし、前者特許文献１（１）に示されているようなハルンバッグ用収納袋は、収容したハルンバッグの透明部分を袋表面に設けたカバーが隠すものとしてあるが、同収容袋の下端開口部にはカバーが無く、ハルンバッグの排尿管が常時露出しており、収納袋の吊り下げ姿勢によっては、排尿管が周囲の人に見えてしまったり、常時露出状態にある排尿管が、患者の病院内移動中に、周囲の他物に接触して汚染や感染の原因となってしまう虞があり、また、同（２）特許文献に開示されているもののように、ハルンバッグを側面視凹字状の帯体で隠蔽するようにしたものなどは、側面の開口部からハルンバッグの側面が露出してしまい、吊り下げ姿勢によっては、ハルンバッグの内部が周囲の人に見えてしまう虞があるものであったり、更にまた、後者特許文献１（３）に代表されるハルンバッグの材質に消臭性樹脂を採用するようにしたものにあっては、悪臭の発生は防止できるとしてもの、ハルンバッグ内の尿色や尿量計測用の窓が露出したままとなっていることに変わりはなく、患者のプライバシーを守るという観点は尚も等閑にされたままとなっていた。                                                    
【特許文献１】（１）特開２００１−８７２９８号公報    （２）特開２００６−３４３９８号公報    （３）特開平９−１６８５５６号公報
【考案の開示】
【考案が解決しようとする課題】
【０００５】
（問題意識）
上述したとおり、従前までに提案のある各種ハルンバッグ、および、その収納袋や帯類などは、何れもハルンバッグ表面の目盛り部分を隠蔽したり、ハルンバッグ周囲を包囲、隠蔽し、または、悪臭の発生を防止するなどして、ある程度は患者のプライバシーを保護できるものとなっているが、貯留尿の排出作業の効率を重視して露出したままとなっているハルンバッグ排尿管が周囲の人に見えてしまったり、側面の隙間からハルンバッグ内部が見えてしまったりするという欠点を残すものであり、これまで治療に専念するあまり、患者のプライバシーへの配慮が行き届かず、患者自身だけでなく見舞客や周囲の人々にも不快感を与えていたという現状を目の当たりにするにつけ、医療現場で患者に最も接する機会の多い看護師達にとって、こうした課題の解決は、この種医療行為に欠くことのできないものであり、医療現場に従事する者の一人としてその期待に応える必要性を痛感している。
【０００６】
（考案の目的）
そこで、この考案は、ハルンバッグの周囲および底部の排尿管周辺も確実に包囲、隠蔽可能とする上、必要に応じてハルンバッグ表面の目盛り部分や、同底部の排尿管を簡単に露出することができ、しかもハルンバッグからの悪臭の発生を確実に防止できる新たなハルンバッグ技術の開発はできないものかとの判断から、逸速くその開発、研究に着手し、長期に渡る試行錯誤と幾多の試作、実験とを繰り返してきた結果、今回、遂に新規な構造のハルンバッグカバーを実現化することに成功したものであり、以下では、図面に示すこの考案を代表する実施例と共に、その構成を詳述することとする。                                                        
【課題を解決するための手段】
【０００７】
（考案の構成）
図面に示すこの考案を代表する実施例からも明確に理解されるように、この考案のハルンバッグカバーは、基本的に次のような構成から成り立っている。
即ち、隠蔽対象ハルンバッグを被覆可能であって、ハルンバッグ正面の容量目盛り露出用となる確認窓を適所に開口した表布部および背布部を有し、該表・背布部下端底部適所にハルンバッグ下部排出管用の導出口を開口すると共に、該導出口の左右がわに左右保持底を形成し、該表・背布部の左右端縦縁同士を結合して上端に上部装着口を開口し、該表布部表面の確認窓上方となる適所に隠蔽布の基端縁を、その垂下中途部で同確認窓を開閉自在に隠蔽可能とするよう結合吊下し、同垂下中途部から先端がわに、該隠蔽布閉鎖状態で表・背布部下端底部の導出口を隠蔽するよう回り込み、しかも背布部の背面適所に達し、且つ背布部背面適所との間に着脱部を有する底背フラップ部を延伸してカバー本体を形成した上、該カバー本体上部装着口に臨む表・背布部上端縁に、装着した場合のハルンバッグ上部の把持孔または吊り孔に対応するよう、布厚方向に貫通した紐孔を穿設し、各紐孔を通じて表・背布部間にハルンバッグ把持孔または吊り孔用の吊着紐を装着すると共に、該表・背布部の適所に手提げハンドルを装着し、同表・背布部の適所に、大人が利用可能な適切な長さの肩掛けベルトか、または、該肩掛けベルトを繋着可能な繋着金具かの何れかを装着してなるものとした構成を要旨とするハルンバッグカバーである。
【０００８】
この基本的な構成からなるハルンバッグカバーを表現を変えて示すと、隠蔽対象ハルンバッグを側面Ｕ字断面状をなして被覆可能な表布部および背布部を有する帯状布からなり、該帯状布表布部適所にハルンバッグ正面の容量目盛り露出用となる確認窓を開口し、該帯状布表・背布部下端底部適所にハルンバッグ下部排出管用の導出口を開口すると共に、該導出口の左右がわに左右保持底を形成し、該帯状布表・背布部の左右端縦縁同士を結合して、上端に上部装着口を開口し、該表布部表面の確認窓上方となる適所に隠蔽布の基端縁を、その垂下中途部で同確認窓を開閉自在に隠蔽可能とするよう結合吊下し、同垂下中途部から先端がわに、該隠蔽布閉鎖状態で表・背布部下端底部の導出口を隠蔽するよう回り込み、しかも背布部の背面適所に達し、且つ背布部背面適所との間に着脱部を有する底背フラップ部を延伸してカバー本体を形成した上、該カバー本体上部装着口に臨む表・背布部上端縁に、装着した場合のハルンバッグ上部の把持孔または吊り孔に対応するよう、布厚方向に貫通した紐孔を穿設し、各紐孔を通じて表・背布部間にハルンバッグ把持孔または吊り孔用の吊着紐を装着すると共に、該表・背布部の適所に手提げハンドルを装着し、同表・背布部の適所に、大人が利用可能な適切な長さの肩掛けベルトか、または、該肩掛けベルトを繋着可能な繋着金具かの何れかを装着してなるものとした構成からなるハルンバッグカバーとなる。
【０００９】
より具体的には、隠蔽対象ハルンバッグを側面Ｕ字断面状をなして被覆可能な表布部および背布部を有する帯状布からなり、該帯状布表布部適所にハルンバッグ正面の容量目盛り露出用となる確認窓を開口し、該帯状布表・背布部下端底部適所にハルンバッグ下部排出管用の左右一直線スリット状導出口を開口すると共に、該導出口の左右がわに左右保持底を形成し、該帯状布表・背布部の左右端縦縁同士を結合して、上端に上部装着口を開口し、該表布部表面の確認窓上方となる適所に隠蔽布の基端縁を、その垂下中途部で同確認窓を開閉自在に隠蔽可能とするよう結合吊下し、同垂下中途部から先端がわに、該隠蔽布閉鎖状態で表・背布部下端底部の導出口を隠蔽するよう回り込み、しかも背布部の背面適所に達し、且つ背布部背面適所との間に着脱部を有する底背フラップ部を延伸してカバー本体を形成した上、該カバー本体上部装着口に臨む表・背布部上端縁に、装着した場合のハルンバッグ上部の把持孔または吊り孔に対応するよう、布厚方向に貫通した紐孔を穿設し、各紐孔を通じて表・背布部間にハルンバッグ把持孔または吊り孔用の吊着紐を装着すると共に、該表・背布部の上部装着口に臨む上端縁の各紐孔よりも僅かに左右がわとなる箇所間に夫々、逆Ｕ字型となる表裏一対の手提げハンドルを装着した上、同表布部の上部装着口に臨む上端縁横巾寸法の左端となる箇所から、該背布部の上部装着口に臨む上端縁横巾寸法の右端となる箇所に、逆Ｕ字型であって該手提げハンドルよりも長く、大人が利用可能な適切な長さの肩掛けベルトを掛け渡すよう結合するか、または、肩掛けベルトを繋着可能な繋着金具かの何れかを装着してなるものとした構成からなるハルンバッグカバーとなる。                                                                                                              
【考案の効果】
【００１０】
以上のとおり、この考案のハルンバッグカバーによれば、従前までのものとは違い、上記した固有の特徴ある構成から、隠蔽対象ハルンバッグを当該カバー本体に収容し、各紐孔およびハルンバッグ把持孔または吊り孔に吊着紐を通して結ぶだけで、ハルンバッグ正面の容量目盛りがカバー本体表布部の確認窓に、また、ハルンバッグ下部排出管がカバー本体底部の導出口に夫々対応するよう収容保持可能であると共に、カバー本体表布部の適所に結合吊下してある隠蔽布を、その垂下中途部が同確認窓を、先端がわ底背フラップ部が同カバー本体底部の導出口を夫々隠蔽するよう回り込ませ、同カバー本体背布部適所に達するよう閉鎖するだけで、該確認窓および導出口を一挙に包囲、隠蔽することができる上、該底背フラップ部を背布部適所に閉じ合わせている着脱部を離脱させれば、簡単に隠蔽布の底背フラップ部および垂下中途部を開放し、確認窓からハルンバッグ正面の容量目盛りを目視確認したり、導出口を通じてハルンバッグ下部排出管を導出し、同ハルンバッグ内に貯留した体液を効率的に排出することができ、しかも、作業を終えた後に、再度、底背フラップ部を背布部適所に着脱部で閉じ合わせてしまえば、簡便にハルンバッグ全体を隠蔽し、該ハルンバッグに貯留した体液の量や色などを確実に隠蔽して患者のプライバシーを保護することができる上、ハルンバッグ下部排出管を覆い尽くして他物との接触を阻止し、汚染や破損を確実に防止することができるという秀れた特徴が得られるものである。
【００１１】
加えて、当該カバー本体底部の導出口左右がわに形成した左右保持底が、収容したハルンバッグ下部の排出管左右がわ底部を夫々下がわから保持し、各紐孔および吊着紐によるハルンバッグ上部把持孔または吊り孔の吊り下げ保持をサポートするものとなり、万が一、吊着紐が解けてしまった場合であっても、ハルンバッグが不用意に脱落してしまうのを確実に防止することができ、特に、隠蔽対象ハルンバッグを側面Ｕ字断面状に被覆可能な表布部および背布部を有する帯状布から形成したカバー本体を採用してなるものは、その製造段階で当該帯状布表・背布部下端底部適所に左右一直線スリット状導出口を切開作業するだけで、該導出口の左右がわに残された生地連続部分が夫々左右保持底を形成するものとなり、通常必要となる表・背布部下端底部の縫合作業を不要として生産効率を各段に高めることができる上、縫合箇所を無くして解れの問題を解消し得たことから、カバー本体底部の耐久強度を一段と高めることになるという効果が期待できる。
【００１２】
そして、適切な長さに設定した各手提げハンドルおよび肩掛けベルトは、医療用ベッドのサイドレールや点滴スタンドなどに吊り下げるのに適していると共に、表・背布部各上端縁に設けた各手提げハンドルは、互いに束ねるように手提げ保持すると、上部装着口に臨む表・背布部の各上端縁同士を閉じ合わせられ、上部装着口からハルンバッグ上部が露出しないよう隠蔽することができ、また、肩掛けベルトは、大人が肩に掛けて利用可能な適切な長さに設定してあるから、大人の患者がそのまま肩に掛けて利用するのに好都合な上、子供が利用する場合や、車椅子などの適所に吊す場合などには、中途適所に結び目を造って長さを自在に調節することができ、しかも、表布部の上部装着口に臨む上端縁横巾寸法の左端となる箇所から、該背布部の上部装着口に臨む上端縁横巾寸法の右端となる箇所に掛け渡すよう結合した肩掛けベルトの場合には、肩に掛けて運搬する際に、人体に接するのとは対がわとなる外がわ配置の例えば表布部上端縁左端（または背布部上端縁右端）を人体がわへ引き寄せる作用を発揮し、上部装着口からハルンバッグ上部が露出しないよう隠蔽する効果を奏するものとなり、一層高いプライバシーの保護が可能となる上、各手提げハンドルおよび肩掛けベルトを使い分けることによって巾広い利用を実現化できる利点が得られる。
【００１３】
さらに、隠蔽布底背フラップ部が、垂下中途部先端がわの、閉鎖状態で表・背布部下端底部に対応する部分を底辺とした台形状にしたものでは、閉鎖状態にある底背フラップ部の先端がわ左右角が折れ曲がったり、垂れ下がったりして利用者の邪魔になる弊害を防止することができる上、他物への引っ掛かりなどによって不用意に底背フラップ部が開いてしまうのを一層確実に防止でき、また、表・背布部および隠蔽布が、撥水処理かまたは防水処理かの少なくとも何れか一方の耐水処理、および／または防臭処理を施した医療用不織布（圧布）製のものでは、その耐水処理によって隠蔽対象ハルンバッグから僅かに漏れ出した体液などのカバー本体への浸透を確実に阻止して拭き取り易くなり、衛生的な管理がし易くなると共に、防臭処理によって消臭効果を発揮し、患者やその周囲の人々への不快感を大幅に軽減することができる上、通状の布地類よりも耐久性に秀れて遙かに軽量な医療用不織布（圧布）製としてあることから、体力の消耗している患者や、過酷な労働を強いられる看護師や介護者などへの持ち運びの負担をかなりの割合で軽減することができるという特徴を発揮し得るものとなる。
【００１４】
表・背布部が、撥水処理かまたは防水処理かの少なくとも何れか一方の耐水処理を施した医療用不織布（圧布）製の内側布地と、防臭処理を施した医療用不織布（圧布）製の外側布地との組み合わせからなるものにあっては、内側布地および外側布地の組み合わせによってカバー本体の耐久強度を大幅に高め、しかも隠蔽対象ハルンバッグに直接接触する内側布地に耐水処理を施して漏れ出してしまった体液の浸透および外部への漏出を効果的に防止すると共に、外側布地の防臭作用で周囲への悪臭の発生を効率的に阻止できるものとすることができるという秀れた効果を奏することとなる。
【００１５】
隠蔽布、手提げハンドルおよび肩掛けベルトの夫々が、何れも撥水処理か、または防水処理かの少なくとも何れか一方の耐水処理を施してなる医療用不織布（圧布）製のものでは、それら隠蔽布、手提げハンドルおよび肩掛けベルトの大幅な軽量化と充分な耐久強度とを達成できると共に、汚れや体液などが付着した手指などで触れてしまった場合などにも、浸透、汚染せずに拭き取り消毒するだで簡単に衛生面の管理ができるという効果を発揮するものとなる。                                                                                      
【考案を実施するための最良の形態】
【００１６】
上記したとおりの構成からなるこの考案の実施に際し、その最良もしくは望ましい形態について説明を加えることにする。
カバー本体は、隠蔽対象ハルンバッグを被覆可能であって手提げまたは肩掛け運搬可能にすると共に、ハルンバッグ正面の容量目盛りを簡単に露出させて計量したり、ハルンバッグ下部排出管を導出して貯留した体液を迅速に排出したりするのを可能とするものであり、適所に隠蔽布、手提げハンドルおよび肩掛けベルトなどを装着可能としてなり、該隠蔽布が隠蔽対象ハルンバッグ容量目盛り用確認窓および下部排出管用導出口を隠蔽可能としたものとしなければならず、その表・背布部および隠蔽布が、撥水処理かまたは防水処理かの少なくとも何れか一方の耐水処理、および／または、防臭処理の施された医療用不織布（圧布）製のものとすることができる外、表・背布部が、撥水処理かまたは防水処理かの少なくとも何れか一方の耐水処理してなる医療用不織布（圧布）製の内側布地と、防臭処理の施された医療用不織布（圧布）製の外側布地との組み合わせからなるもの、あるいは、隠蔽布、手提げハンドルおよび肩掛けベルトの夫々が何れも撥水処理か、または防水処理かの少なくとも何れか一方の耐水処理してなる医療用不織布（圧布）製のものとするのが望ましい。
【００１７】
表布部は、カバー本体の隠蔽対象ハルンバッグ表面を隠蔽可能とし、ハルンバッグ正面の容量目盛り露出用の確認窓を開口可能であって、該確認窓および導出口を隠蔽可能とする隠蔽布を吊下可能とする機能を果たし、上部装着口を形成する上端縁の適所に、手提げハンドルの両端や肩掛けベルトの一端を連結可能で、同上端縁の適所に紐孔を開口可能となるようにしたものであり、背布部と一体化して袋状のカバー本体を形成し、収容したときのハルンバッグ正面の容量目盛り露出用となる確認窓を中央適所に開口したものとしなければならず、後述する実施例に示すように、表布部の底部に背布部の底部を一体化した１枚の帯状布からなるものとすることもできる。
【００１８】
確認窓は、カバー本体表布部の対応箇所を通じて、収容した状態での隠蔽対象ハルンバッグ表面の容量目盛りの全体を目視可能とする機能を果たすものであり、後述する実施例に示すように、表布部に貫通して開口したものとすることができる外、表布部に貫通した開口に、透明軟質合成樹脂製シートを装着し、外部から透視可能としてなるものとすることもできる。
【００１９】
背布部は、カバー本体の隠蔽対象ハルンバッグ背面を隠蔽可能とし、閉鎖状態の隠蔽布底背フラップ部を着脱部を介して着脱自在に閉鎖可能とする機能を果たし、上部装着口を形成する上端縁の適所に、手提げハンドルの両端や肩掛けベルトの他端を連結可能で、同上端縁の適所に紐孔を開口可能としたものであり、表布部と一体化して袋状のカバー本体を形成し、後述する実施例に示すように、背布部の底部に表布部の底部を一体化した１枚の帯状布からなるものとすることができる。
【００２０】
上部装着口は、カバー本体の上端であって表・背布部上端縁間を通じて隠蔽対象ハルンバッグを収容および取り出し可能とするものであり、縦姿勢のハルンバッグを容易に収納、取り出し可能とする開口寸法形状のものとしなければならず、その開口縁が、後述する実施例に示すように、手提げハンドルや肩掛けベルトなどの連結に充分に耐える耐久強度を有するものとするのが望ましい。
【００２１】
導出口は、カバー本体の表・背布部下端間に相当する底部から、隠蔽対象ハルンバッグ下部の排出管を簡便に導出可能とする機能を果たすものであり、ルンバッグ下部の排出管に対応する範囲にのみ開口したものとするのが望ましいと云えるが、カバー本体の底部を筒状に全開放してなるものとすることもでき、後述する実施例に示すように、不織布表・背布部の縦長寸法方向中央である左右横断直線状底部の中央所定範囲にスリット状の開口として形成したものとしても差し支えはない。
【００２２】
左右保持底は、カバー本体の表・背布部下端間に相当する底部に開口した導出口の左右両がわで一対をなし、収容した隠蔽対象ハルンバッグ下部の左右角付近を、夫々下がわから保持可能とする機能を果たし、ハルンバッグを充分且つ安全に保持可能とする強度を有するものとしなければならない。
【００２３】
隠蔽布は、カバー本体表布部確認窓および底部の導出口を開閉自在に、隠蔽閉鎖可能とする機能を果たし、表布部確認窓の上部がわに吊下、結合し、その中途部が、確認窓および導出口を余裕をもって隠蔽可能とするよう、カバー本体底部を回り込み、先端がわの底背フラップ部が背布部外側面に達するだけの充分な大きさの寸法、形状に設定すると共に、充分な遮光性を有して視覚的に充分に隠蔽可能なものとした上、該底背フラップ部先端付近に、背布部外側面に着脱自在とする着脱部を設けたものとしなければならず、該底背フラップ部は、左右角が折れ曲がって邪魔になるのを防止できるよう、隠蔽布垂下中途部先端がわの、閉鎖状態で表・背布部下端底部に対応する部分を底辺とした台形状のものとするのが望ましく、着脱部は、面ファスナー、ボタン、スナップ、ホックなどを適宜選択して採用することが可能である。
【００２４】
紐孔は、カバー本体に収容した場合の隠蔽対象ハルンバッグ上部の把持孔または吊り孔に通して吊り下げ状装着可能とする吊着紐を、同カバー本体上部装着口に臨む上端縁付近の適所に貫通状装着可能とする機能を果たし、カバー本体に収容した場合の隠蔽対象ハルンバッグ上部の把持孔または吊り孔に対応する表・背布部上端縁に貫通形成したものとしなければならず、後述する実施例に示すように、表・背布部上端縁を三つ折り縫合して補強するなど、充分な強度を有する部分に穿設形成したものとすべきであり、各上端縁に補強板を内蔵したものや、鳩目金具を装着したものなどとすることが可能であり、吊着紐は、表・背布部上端縁の各紐孔と、その間に配置したハルンバッグ把持孔または吊り孔とに挿し通して端部を結ぶなどして、カバー本体内にハルンバッグを吊下状に収容保持可能とするものであり、ハルンバッグの吊り孔に挿し通し可能な直径であって、充分な長さと耐久強度とを有するものとしなければならず、隠蔽対象ハルンバッグの把持孔または吊り孔およびその周辺を傷付けたり、破損したりしない程度に充分に軟質で適度な太さを有するものとするのが望ましく、水分が浸透しない軟質合成樹脂製のバンドや天然繊維製または合成繊維製などの紐に撥水処理や防水処理などの耐水加工や防臭処理などを施してなるものなどとすることもできる。
【００２５】
手提げハンドルは、カバー本体の表・背布部双方の適所を手提げ保持状に握持可能とすると共に、医療用ベッドのサイドレールや点滴スタンドなどへの吊り下げを可能とするものであり、隠蔽対象ハルンバッグを収容して手提げ運搬移動するのに充分に耐える耐久強度を有するものとしなければならず、紐やベルトなどの外、硬質な逆Ｕ字型や逆凹字状のハンドルなどとすることが可能であり、後述する実施例に示すもののように、医療用不織布（圧布）製のものとするのが望ましいと云える。
【００２６】
肩掛けベルトは、カバー本体の表・背布部双方の適所を肩掛け運搬可能とする機能を果たし、隠蔽対象ハルンバッグを収容して安全に肩掛け吊り下げ運搬するに充分な強度を有するものとしなければならず、紐やベルトなどの外、表・背布部の各上端縁適所に肩掛けベルトを繋着可能な繋着金具を装着し、各繋着金具に肩掛けベルトの各端部を着脱自在に繋着してなるものとすることが可能であり、前記手提げハンドルと同様、後述する実施例にも示してあるように、医療用不織布（圧布）製のものとするのが望ましい。
以下では、図面に示すこの考案を代表する実施例と共に、その構造について詳述することとする。                                                                                                            
【実施例１】
【００２７】
図１のベッドサイドに吊して隠蔽布を開いた状態のハルンバッグカバーの斜視図、図２のハルンバッグカバーの正面図、図３のハルンバッグカバー上部装着口の斜視図、図４の隠蔽布を開いたハルンバッグカバーの斜視図、図５の隠蔽布着脱部を開いたハルンバッグカバーの背面図、図６の隠蔽布着脱部を閉じたハルンバッグカバーの背面図、図７のベッドサイドに吊したハルンバッグカバーの斜視図、図８の隠蔽布を開いたハルンバッグカバーの斜視図、図９の肩掛けベルトを展開したハルンバッグカバーの斜視図、および、図１０の肩掛けベルトを短く調節したハルンバッグカバーの斜視図に示す事例は、確認窓３０を適所に開口した表布部３および背布部４を有し、底部２３に排出管９１用導出口２４を開口すると共に、左右保持底２６，２６を形成し、上端に上部装着口２５を開口し、表布部３表面適所に確認窓３０用の隠蔽布５を結合吊下し、同隠蔽布５の先端がわに、導出口２４隠蔽用となる底背フラップ部５２を延伸してカバー本体２を形成した上、該表・背布部３，４上端縁Ａ，Ａに紐孔６，６，……を穿設して吊着紐６０を装着すると共に、手提げハンドル７，７を装着し、適所に肩掛けベルト８か、または、該肩掛けベルト８を繋着可能な繋着金具を装着してなるものとしたこの考案のハルンバッグカバーにおける代表的な一実施例を示すものである。
【００２８】
それら各図からも明確に把握できるとおり、この考案のハルンバッグカバー１は、カバー本体２適所に、夫々後述する隠蔽布４、手提げハンドル６，６および肩掛けベルト７を装着してなるものであり、当該カバー本体１０は、内側布地２１に樹脂フィルムをラミネート加工または接着加工するなどして積層一体化し、防水処理した防水用帯状不織布２１、および、外側布地２２に酸性白土、活性白土、シリカゲル、アルミナゲル、ゼオライト、化学吸着剤、活性炭微粉末、銀微粉末などの消臭成分を添加した消臭性合成樹脂を含有、または、コーティングした細目メッシュ加工か、または、細かな凹凸のエンボス加工かの何れか一方が施された消臭用帯状不織布２２の何れも医療用不織布（圧布）を用いた二重帯状不織布２０からなり、それら内側布地（防水用帯状不織布）２１と外側布地（消臭用帯状不織布２２）２２とは、互いの積層面を接着したものとすることができる外、接着せず二重に重ねたままの状態として、互いの縫合箇所で一体化したものとすることが可能である。
【００２９】
この二重帯状不織布２０は、隠蔽対象となるハルンバッグ９の左右横巾寸法に左右縁縫合代および余裕寸法分を加えた左右横巾寸法とした上、同二重帯状不織布２０の縦長寸法は、ハルンバッグ９の上下縦長寸法の２倍に、上下縦方向端縁の補強代（三つ折り代）を加えた縦長寸法に設定した長方形状に裁断した布地であって、該二重帯状不織布２０の縦長寸法の１／２の箇所が、当該カバー本体１０の底部を形成するよう、側面視Ｕ字型または凹字型に折り畳み、該二重帯状不織布２０のカバー本体１０表面が表布部３、同背面が背布部４を形成するものとし、該表布部３の矩形状中央から底部がわにかけて、該ハルンバッグ９正面の容量目盛り９０を露出するための矩形状確認窓３０を開口したものとしてある。
【００３０】
当該二重帯状不織布２０が形成する表布部３と背布部４との間であって、側面視Ｕ字型または凹字型に折り畳んだ左右横断直線状底部２３の左右巾寸法中央には、収容した場合のハルンバッグ９下部の排出管９１が対応する左右巾範囲に渡ってスリット状の導出口２４を開口したものとし、当該二重帯状不織布２０表・背布部３，４の左右横断直線状底部２３とは上下反対がわとなる表・背布部３，４各上端縁Ａ，Ａ補強代を、内向きに三つ折りして縫合すると共に、各表・背布部３，４の三つ折り補強した上端縁Ａ，Ａの左右巾中央で、収容するハルンバッグ９上部の把持孔９２に対応する範囲内か、または、各吊り孔９３，９３，……に対応する箇所かの何れかには夫々、左右対象配置となる一対の紐孔６，６，……の穿設箇所として予め設定されたものとしてある。
【００３１】
図３中に示すように、これら表・背布部３，４上端縁Ａ，Ａの各紐孔６，６，……穿設箇所よりも僅かに左右外がわの内側布地（防水用帯状不織布）２１と外側布地（消臭用帯状不織布）２２との間には、同表・背布部３，４用となる表背一対の手提げハンドル７，７の基端を夫々逆Ｕ字状となるよう掛け渡して挟み込み縫着し、さらに、同表布部３の上部装着口２５に臨む上端縁Ａ横巾寸法の左端３１となる箇所から、該背布部４の上部装着口２５に臨む上端縁Ａ横巾寸法の右端４１となる箇所に、逆Ｕ字型であって各手提げハンドル７，７よりも長く、大人が利用可能な適切な長さの肩掛けベルト８を掛け渡すよう、挟み込み縫着したものとしてあり、これら手提げハンドル７，７および肩掛けベルト８は何れも、前記内側布地２１に用いた防水用帯状不織布２１と同一素材を、夫々適宜長さ寸法の巾広帯状に裁断して適切な巾に折り畳み、帯状に縫合したものである。
【００３２】
そして、図４中に示すように、当該表・背布部３，４の左右端縦縁Ｂ，Ｂ同士をその全長に渡って、同表・背布部３，４の各上端縁Ａ，Ａ間に上部装着口２５を開口した袋体を形成するよう縫合し、該左右横断直線状底部２３の導出口２４を除く左右がわの各所定巾範囲には、ハルンバッグ９下部の左右角がわ底部を保持可能な左右保持底２６，２６を有するカバー本体１０を形成したものである。
【００３３】
また、図３中に示すように、当該カバー本体１０は、表・背布部３，４内側布地（防水用帯状不織布）２１の左右端縦縁同士をその全長に渡って縫合して内袋体を形成し、これとは別体に表・背布部３，４外側布地（消臭用帯状不織布）２２の左右端縦縁同士を、その全長に渡って内向き折り畳み状態に縫合して外袋体を形成し、それら表・背布部３，４外袋体内に、該内袋体を収容した上、各上端縁Ａ，Ａ間に上部装着口２５を開口した袋体を形成するよう縫合すると共に、各手提げハンドル７，７および肩掛けベルト８を結合してなるものとすることができる。
【００３４】
図ないし図８に示す、隠蔽布５は、前記表布部３および背布部４の内側布地２１に使用したのと同じ防水用帯状不織布２１（医療用不織布：圧布）製であって、カバー本体１０の表布部２と同じ左右巾寸法に、左右折り返し補強代を追加した横巾寸法で、同表布部２の上下縦長寸法に、カバー本体１０底部２３を回り込み、背布部４外側面４０中央適所に達する縦長寸法に裁断した布地からなり、その左右端縦縁を確認窓３０に対峙する裏面がわに折り重ねて縫合補強すると共に、図２中に示すように、カバー本体１０カバー本体２の上部装着口２５に臨む外がわ上端縁Ａ左右全横巾に沿って基端縁５０を縫合し、カバー本体１０底部２３外がわを回り込む隠蔽布５中途部５１から、図５および図６中に示すように、背布部４外側面４０中央適所に達する隠蔽布５底背フラップ部５２を、該左右横断直線状底部２３左右巾寸法を底辺とした台形状（図６中）に延伸、形成し、この底背フラップ部５２先端付近中央と、該隠蔽布５を閉鎖したときに対応する背布部４外側面４０中央適所とには、夫々互いに着脱可能な雄・雌面ファスナ（着脱部）５３，５３を設けたものとしてある。
【００３５】
図３に示すように、当該カバー本体２表・背布部３，４上端縁Ａ，Ａの前記紐孔６，６，……穿設箇所夫々には、隠蔽布５基端縁５０を含む布厚方向に、各紐孔６，６，……を貫通するよう穿設した上、吊着紐６０を挿し通して装着したものとしてある。
【００３６】
（実施例１の作用）
以上のとおりの構成からなるこの考案のハルンバッグカバー１は、図１ないし図３に示すように、上部装着口２５から隠蔽対象ハルンバッグ９を、その正面の容量目盛り９０が、表布部３の確認窓３０に面するよう縦姿勢に収納し、ハルンバッグ９上部の各吊り孔９３，９３を表・背布部３，４上端縁Ａ，Ａの紐孔６，６，……間に配置させると共に、吊着紐６０をそれら紐孔６，６，……および各吊り孔９３，９３に挿し通して、図２中に示すように、結んで当該カバー本体２内に吊下するよう装着し、各手提げハンドル７，７を握持すると手提げ運搬可能であり、しかも、図７中に示すように、紐やクリップなどを利用するか、直接フックなどに吊着するかなどして、ベッドのサイドレールや図示しない点滴スタンドなどに吊り下げ装着可能とする。
【００３７】
図６に示す隠蔽布５は、図５中に示すように、底背フラップ部５２面ファスナ５３を背布部４の面ファスナ５３から引き剥がし、図１および図４に示すよう開放すると、表布部３の確認窓３０を露出させてハルンバッグ９の容量目盛り９０を読み取り可能となると共に、底部２３の導出口２４からハルンバッグ９下部の排出管９１を引き出すようにしてハルンバッグ９の内容液を排出可能とし、排出管９１をハルンバッグ９下部に引き込んでから、再び、図６に示すように、底背フラップ部５２面ファスナ５３を背布部４の面ファスナ５３に結合させると、表布部３確認窓３０および底部２３導出口２４の双方を隠蔽可能であり、特に導出口２４の隠蔽は、ハルンバッグ９下部の排出管９１を衛生的に包囲して他物への接触を確実に防止するようにし、しかも該底背フラップ部５２の先端縁形状を台形状とし、左右角縁の折れ曲がりや閉鎖姿勢での垂れ下がりなどを無くようにし、運搬中の引っ掛かりによる不用意な開放を阻止可能にしている。
【００３８】
図９に示すように、肩掛けベルト８を展開させると大人が肩に掛けて運搬するのに適したものとなる上、図３中に示すように、表布部３の上部装着口２５に臨む上端縁Ａ横巾寸法の左端３１となる箇所から、背布部４の上部装着口２５に臨む上端縁Ａ横巾寸法の右端４１となる箇所に、逆Ｕ字型に掛け渡すよう結合してあるから、肩に吊り下げたときに、必ず何れか一方の端部が、上部装着口２５を身体がわに綴じ合わせる方向に引き寄せる作用を果たし、上部装着口２５が不用意に開いてしまうのを確実に阻止するようにし、さらに図１０中示すように、肩掛けベルト８の中途適所に結び目を造って長さを調節すると、子供の肩や車椅子のハンドルなどにも吊り下げて安全に運搬し得るようにする。
【００３９】
また、図４および図５中に示すように、カバー本体２底部２３の左右巾中央にスリット状に開口した導出口２４の、左右がわに配した左右保持底２６，２６夫々が、ハルンバッグ９下部の左右角付近を下がわから保持するようにし、万が一、吊着紐６０が解けてしまったときでも、ハルンバッグ９の脱落を未然に防ぐようにしてある。
【００４０】
さらに、図３に示すように、当該カバー本体１０は、その内側布地２１に、防水処理を施した医療用不織布（圧布）である防水用帯状不織布２１を採用し、ハルンバッグ９へのチューブの着脱などの操作中に、僅かに体液などが滴下してしまったときでも、浸透したりせずに衛生状態を確保し得るようにしてあり、しかも、外側布地２２に、消臭処理および細目メッシュ加工を施した医療用不織布（圧布）である消臭用帯状不織布２２を採用し、ハルンバッグ９から発生する悪臭を悉く消臭し得るようにすると共に、それら内側布地（防水用帯状不織布）２１と外側布地（消臭用帯状不織布２２）２２とを組み合わせた二重帯状不織布２０から形成するようにし、高い強度を確保できるようにしてある上、大幅な軽量化を図っている。
【００４１】
（実施例１の効果）
以上のような構成からなる実施例１のハルンバッグカバー１は、前記この考案の効果の項で記載の特徴に加え、図１および図２中に示すよう、該カバー本体１０の材料である二重帯状不織布２０の外側布地２２として、消臭性合成樹脂を含有、または、コーティングすると共に、細目メッシュ加工か、または細かな凹凸のエンボス加工かの何れか一方が施された消臭用帯状不織布２２である医療用不織布（圧布）を採用しているから、平滑なシート状の生地を採用した場合に比較して、外気との接触面積を大きく確保することができ、各段に高い消臭性能を達成することができる。
【００４２】
加えて、図３中に示すように、表・背布部３，４上端縁Ａ，Ａの内側布地（防水用帯状不織布）２１と外側布地（消臭用帯状不織布）２２との間に、各手提げハンドル７，７の基端、および、肩掛けベルト８の基端を夫々逆Ｕ字状となるよう掛け渡して挟み込み縫着したものとしてあるから、該表・背布部３，４上端縁Ａ，Ａの縫合工程で、一度に各手提げハンドル７，７、および、肩掛けベルト８を縫着して縫製工程を合理化し、カバー本体２を一段と軽量化することができる。
【００４３】
（結  び）
叙述の如く、この考案のハルンバッグカバーは、その新規な構成によって所期の目的を遍く達成可能とするものであり、しかも製造も容易で、従前からのハルンバッグ用収納袋に比較して大幅に耐久強度を高め、軽量且つ低廉化して遥かに経済的なものとすると共に、収納したハルンバッグの全体を隠蔽して利用患者のプライバシーを確実に保護し、且つ衛生的に運搬可能とすることができる上、収納したハルンバッグの内容量計測や貯留体液の排出などを簡便且つ迅速に行うことを可能とするものであることから、従前までのプライバシーをやや犠牲にすることがあっても治療を優先させていた医療業界および医療器具業界は固よりのこと、見舞客や院内移動中などにハルンバッグを見られてしまう恥ずかしさに悩まされてきた患者や、院内を通行中に見ず知らずの患者のハルンバッグを見て不快感を感じていた通院者などからは特に高く評価され、様々な医療機関で広範に亘って利用、普及していくものになると予想される。                                                                      
【図面の簡単な説明】
【００４４】
図面は、この考案のハルンバッグカバーの技術的思想を具現化した代表的な幾つかの実施例を示すものである。
【図１】ベッドサイドに吊したハルンバッグカバーを示す斜視図である。
【図２】ハルンバッグカバーを示す正面図である。
【図３】ハルンバッグカバー上部装着口を示す斜視図である。
【図４】隠蔽布を開いたハルンバッグカバーを示す斜視図である。
【図５】隠蔽布着脱部を開いたハルンバッグカバーを示す背面図である。
【図６】隠蔽布着脱部を閉じたハルンバッグカバーを示す背面図である。
【図７】ベッドサイドに吊したハルンバッグカバーを示す斜視図である。
【図８】隠蔽布を開いたハルンバッグカバーを示す斜視図である。
【図９】肩掛けベルトを展開したハルンバッグカバーを示す斜視図である。
【図１０】肩掛けベルトを短く調節したハルンバッグカバーを示す斜視図である。
【符号の説明】
【００４５】
１      ハルンバッグカバー
２      カバー本体
２０    同  二重帯状不織布
２１    同  防水用帯状不織布（内側布地）
２２    同  消臭用帯状不織布（外側布地）
２３    同  左右横断直線状底部
２４    同  導出口
２５    同  上部装着口
２６    同  左右保持底
３      表布部
３０    同  確認窓
３１    同  左端
４      背布部
４０    同  外側面
４１    同  右端
５      隠蔽布
５０    同  基端縁
５１    同  中途部
５２    同  底背フラップ部
５３    同  面ファスナ（着脱部）
６      紐孔
６０    同  吊着紐
７      手提げハンドル
８      肩掛けベルト
９      隠蔽対象ハルンバッグ
９０    同  正面の容量目盛り
９１    同  下部の排出管
９２    同  上部の把持孔
９３    同  上部の吊り孔
Ａ      表布部（または背布部）の上端縁
Ｂ      布部（または背布部）の左右縦縁                                                                              
【図１】
0003159704.tif 000003
【図２】
0003159704.tif 000004
【図３】
0003159704.tif 000005
【図４】
0003159704.tif 000006
【図５】
0003159704.tif 000007
【図６】
0003159704.tif 000008
【図７】
0003159704.tif 000009
【図８】
0003159704.tif 000010
【図９】
0003159704.tif 000011
【図１０】
0003159704.tif 000012
【手続補正書】
【提出日】平成22年3月29日(2010.3.29)
【手続補正１】
【補正対象書類名】実用新案登録請求の範囲
【補正対象項目名】全文
【補正方法】変更
【補正の内容】
【実用新案登録請求の範囲】
【請求項１】
隠蔽対象ハルンバッグを被覆可能であって、ハルンバッグ正面の容量目盛り露出用となる確認窓を適所に開口した表布部および背布部を有し、該表・背布部下端底部適所にハルンバッグ下部排出管用の導出口を開口すると共に、該導出口の左右がわに左右保持底を形成し、該表・背布部の左右端縦縁同士を結合して上端に上部装着口を開口し、該表布部表面の確認窓上方となる適所に隠蔽布の基端縁を、その垂下中途部で同確認窓を開閉自在に隠蔽可能とするよう結合吊下し、同垂下中途部から先端がわに、該隠蔽布閉鎖状態で表・背布部下端底部の導出口を隠蔽するよう回り込み、しかも背布部の背面適所に達し、且つ背布部背面適所との間に着脱部を有する底背フラップ部を延伸してカバー本体を形成した上、該カバー本体上部装着口に臨む表・背布部上端縁に、装着した場合のハルンバッグ上部の把持孔または吊り孔に対応するよう、布厚方向に貫通した紐孔を穿設し、各紐孔を通じて表・背布部間にハルンバッグ把持孔または吊り孔用の吊着紐を装着すると共に、該表・背布部の適所に手提げハンドルを装着し、同表・背布部の適所に、大人が利用可能な適切な長さの肩掛けベルトか、または、該肩掛けベルトを繋着可能な繋着金具かの何れかを装着してなるものとしたことを特徴とするハルンバッグカバー。
【請求項２】
隠蔽対象ハルンバッグを側面Ｕ字断面状をなして被覆可能な表布部および背布部を有する帯状布からなり、該帯状布表布部適所にハルンバッグ正面の容量目盛り露出用となる確認窓を開口し、該帯状布表・背布部下端底部適所にハルンバッグ下部排出管用の導出口を開口すると共に、該導出口の左右がわに左右保持底を形成し、該帯状布表・背布部の左右端縦縁同士を結合して、上端に上部装着口を開口し、該表布部表面の確認窓上方となる適所に隠蔽布の基端縁を、その垂下中途部で同確認窓を開閉自在に隠蔽可能とするよう結合吊下し、同垂下中途部から先端がわに、該隠蔽布閉鎖状態で表・背布部下端底部の導出口を隠蔽するよう回り込み、しかも背布部の背面適所に達し、且つ背布部背面適所との間に着脱部を有する底背フラップ部を延伸してカバー本体を形成した上、該カバー本体上部装着口に臨む表・背布部上端縁に、装着した場合のハルンバッグ上部の把持孔または吊り孔に対応するよう、布厚方向に貫通した紐孔を穿設し、各紐孔を通じて表・背布部間にハルンバッグ把持孔または吊り孔用の吊着紐を装着すると共に、該表・背布部の適所に手提げハンドルを装着し、同表・背布部の適所に、大人が利用可能な適切な長さの肩掛けベルトか、または、該肩掛けベルトを繋着可能な繋着金具かの何れかを装着してなるものとしたことを特徴とするハルンバッグカバー。
【請求項３】
隠蔽対象ハルンバッグを側面Ｕ字断面状をなして被覆可能な表布部および背布部を有する帯状布からなり、該帯状布表布部適所にハルンバッグ正面の容量目盛り露出用となる確認窓を開口し、該帯状布表・背布部下端底部適所にハルンバッグ下部排出管用の左右一直線スリット状導出口を開口すると共に、該導出口の左右がわに左右保持底を形成し、該帯状布表・背布部の左右端縦縁同士を結合して、上端に上部装着口を開口し、該表布部表面の確認窓上方となる適所に隠蔽布の基端縁を、その垂下中途部で同確認窓を開閉自在に隠蔽可能とするよう結合吊下し、同垂下中途部から先端がわに、該隠蔽布閉鎖状態で表・背布部下端底部の導出口を隠蔽するよう回り込み、しかも背布部の背面適所に達し、且つ背布部背面適所との間に着脱部を有する底背フラップ部を延伸してカバー本体を形成した上、該カバー本体上部装着口に臨む表・背布部上端縁に、装着した場合のハルンバッグ上部の把持孔または吊り孔に対応するよう、布厚方向に貫通した紐孔を穿設し、各紐孔を通じて表・背布部間にハルンバッグ把持孔または吊り孔用の吊着紐を装着すると共に、該表・背布部の上部装着口に臨む上端縁の各紐孔よりも僅かに左右がわとなる箇所間に夫々、逆Ｕ字型となる表裏一対の手提げハンドルを装着した上、同表布部の上部装着口に臨む上端縁横巾寸法の左端となる箇所から、該背布部の上部装着口に臨む上端縁横巾寸法の右端となる箇所に、逆Ｕ字型であって該手提げハンドルよりも長く、大人が利用可能な適切な長さの肩掛けベルトを掛け渡すよう結合するか、または、肩掛けベルトを繋着可能な繋着金具かの何れかを装着してなるものとしたことを特徴とするハルンバッグカバー。
【請求項４】
隠蔽布底背フラップ部が、垂下中途部先端がわの、閉鎖状態で表・背布部下端底部に対応する部分を底辺とした台形状のものとしてなる、請求項１ないし３何れか一項記載のハルンバッグカバー。
【請求項５】
表・背布部および隠蔽布が、撥水処理かまたは防水処理かの少なくとも何れか一方の耐水処理、および／または、防臭処理の施されてた医療用不織布製のものとしてなる、請求項１ないし３何れか一項記載のハルンバッグカバー。
【請求項６】
表・背布部が、撥水処理かまたは防水処理かの少なくとも何れか一方の耐水処理が施された医療用不織布製の内側布地と、防臭処理の施されてた医療用不織布製の外側布地との組み合わせからなるものとしてなる、請求項１ないし３何れか一項記載のハルンバッグカバー。
【請求項７】
隠蔽布、手提げハンドルおよび肩掛けベルトの夫々が何れも、撥水処理か、または、防水処理かの少なくとも何れか一方の耐水処理が施された医療用不織布製のものとしてなる、請求項１ないし６何れか一項記載のハルンバッグカバー。